(57)【要約】【課題】筐体を簡単かつ柔軟に回動できるようにする。【解決手段】表示ユニットを操作ユニットに対してほぼ垂直な方向に運動させたとき、リング２０１が、ほぼ垂直な上方向に持ち上げる力Ｆ２により、リベットを中心に下方向に回動し、ガイド棒２２１が、力Ｆ２とほぼ同じ強さの力Ｆ３でカム２３１の頂部付近を垂直な方向に押し下げる。力Ｆ３は、傾斜したカム面２３１Ａに対してほぼ平行な方向に働く力Ｆ４と、ほぼ垂直な方向に働く力Ｆ５に分解され、力Ｆ４の反作用により、ガイド棒２２１、従ってリング２０１が平行な方向に回動し、表示ユニットが操作ユニットに対してほぼ水平な方向に回動する。本発明は、携帯電話機に適用できる。【選択図】図２０
2005149123.tif 000002
【特許請求の範囲】
【請求項１】
第１の筐体と第２の筐体から構成される携帯型情報処理装置において、
前記第１の筐体と前記第２の筐体は、ヒンジ機構を介して回動自在に結合され、
前記ヒンジ機構は、
前記第１の筐体側に固定された第１の部材と、
前記第２の筐体側に固定され、前記第１の部材と関係して、前記第１の筐体に与えられた第１の方向の運動を、前記第１の方向とほぼ垂直な第２の方向の運動に変換する第２の部材と
から構成される
ことを特徴とする携帯型情報処理装置。
【請求項２】
前記第１の部材と前記第２の部材は、接触部材と、前記接触部材と接触し、前記第１の筐体の前記第１の方向の運動を前記第２の方向の運動に変換するカム面を有するカムとで構成される
ことを特徴とする請求項２に記載の携帯型情報処理装置。
【請求項３】
前記携帯型情報処理装置は、携帯電話機である
ことを特徴とする請求項１に記載の携帯型情報処理装置。
【発明の詳細な説明】
【技術分野】
【０００１】
本発明は、携帯型情報処理装置に関し、特に、筐体を簡単に回動できるようにした携帯型情報処理装置に関する。
【背景技術】
【０００２】
近年、ディスプレイなどが設けられている表示ユニットと、ユーザが操作するためのキー等が操作面上に設けられている操作ユニットが別々の筐体とされ、表示ユニットの一端と操作ユニットの一端がヒンジ部により回動自在に結合された折りたたみ式の携帯電話機が市販されている。折りたたみ式の携帯電話機は、表示ユニットに設けられているディスプレイと操作ユニットの操作面が対向するように表示ユニットと操作ユニットが重ねられた状態（閉じた状態）にしたり、表示ユニットを操作ユニットの操作面に対して垂直な方向にヒンジ部を軸にほぼ１８０度に開き、ディスプレイと操作キーが露出された状態（開いた状態）にしたりすることができる。
【０００３】
ユーザは、折りたたみ式の携帯電話機を使用しないとき、閉じた（折りたたんだ）状態にすることにより携帯電話機をコンパクトに収納することができる。しかし、折りたたみ式の携帯電話機を閉じたままでは、ディスプレイは操作ユニットに対向して隠された状態のため、ユーザは、ディスプレイを見るためには、キー操作する必要がなくても、携帯電話機を開く必要がある。
【０００４】
そこで、近年、その折りたたみ式の携帯電話機の問題点を解消した図１乃至図４に示されるような平行回動式の携帯電話機１が市販されている。図１は、平行回動式の携帯電話機１を閉じた状態を表わしている。携帯電話機１は、別々の筐体で構成される表示ユニット１１と操作ユニット１２が、ヒンジ部１３により回動自在に結合されている。表示ユニット１１に設けられたディスプレイ２１は、携帯電話機１を閉じた状態において外側に露出しており、ユーザは、携帯電話機１を閉じたまま、ディスプレイ２１を見ることができる。
【０００５】
ユーザは、携帯電話機１を操作するとき、図２に示されるように携帯電話機１を開いた状態にする。この場合、ユーザは、図３および図４に示されるように、表示ユニット１１に操作ユニット１２の操作面とほぼ平行な方向に力を加えて、図の矢印で示されるように、表示ユニット１１を、ヒンジ部１３を軸にして、操作ユニット１２の操作面とほぼ平行に、時計回りあるいは反時計回りの方向に回動させる。これにより、閉じられた状態のとき、表示ユニット１１と操作ユニット１２の間に隠れていた操作キー３１が、携帯電話機１を開いた状態において、外部に露出されるので、ユーザは、操作キー３１を操作することができる。
【０００６】
また、携帯電話機を閉じた状態において、表示ユニットのディスプレイが設けられている面を、折りたたみ式の携帯電話機のように操作ユニットに対向して隠れた状態にも、平行回動式の携帯電話機１のように外側に露出された状態にもでき、かつ、表示ユニットを、操作ユニットに対して、折りたたみ式の携帯電話機のように垂直に回動しても、平行回動式の携帯電話機１のように平行に回動しても、開くことができる携帯電話機が提案されている（例えば、特許文献１）。
【特許文献１】特開２００３‐２４４２９３号公報
【発明の開示】
【発明が解決しようとする課題】
【０００７】
しかしながら、従来の平行回動式の携帯電話機１は、ユーザが折りたたみ式の携帯電話機の操作と間違えて、表示ユニット１１を操作ユニット１２の操作面に対して垂直な方向に回動しようとした場合、表示ユニット１１が回動しないばかりか、ヒンジ部１３に無理な力がかかり、ヒンジ部１３が損傷してしまうおそれがあった。
【０００８】
また、特許文献１に記載されている発明では、表示ユニットを平行方向に回動させた場合と垂直方向に回動させた場合で、表示ユニットを開いたときのディスプレイの向きが異なるため、ディスプレイが外側に露出した状態で閉じられている場合に、表示ユニットを垂直方向に回動すると、ディスプレイが本来使用する状態と逆方向を向いてしまい、操作性が悪い課題があった。
【０００９】
本発明は、このような状況に鑑みてなされたものであり、筐体の回動方向と異なる方向に力を加えても、ヒンジ部を損傷せずに、かつ筐体を使用できる状態に回動できるようにし、もって操作性を向上させるものである。
【課題を解決するための手段】
【００１０】
本発明の携帯型情報処理装置は、第１の筐体と第２の筐体は、ヒンジ機構を介して回動自在に結合され、ヒンジ機構は、第１の筐体側に固定された第１の部材と、第２の筐体側に固定され、第１の部材と関係して、第１の筐体に与えられた第１の方向の運動を、第１の方向とほぼ垂直な第２の方向の運動に変換する第２の部材とから構成されることを特徴とする。
【００１１】
第１の部材と第２の部材は、接触部材と、接触部材と接触し、第１の筐体の第１の方向の運動を第２の方向の運動に変換するカム面を有するカムとで構成されるようにすることができる。
【００１２】
携帯型情報処理装置は、携帯電話機であるようにすることができる。
【００１３】
本発明の携帯型情報処理装置においては、第１の筐体の第１の方向の運動は、第１の部材と第２の部材の関係により第２の運動の方向に変換される。
【発明の効果】
【００１４】
本発明によれば、筐体を回動させることができる。特に、この発明によれば、筐体を、第１の方向と異なる第２の方向に運動させても、ヒンジ部を損傷せずに、第１の方向に運動させることができる。これにより、ユーザは方向を意識せずに、間単に携帯型情報処理装置を使用することができる。
【発明を実施するための最良の形態】
【００１５】
以下に本発明の実施の形態を説明するが、本明細書に記載の発明と、実施の形態との対応関係を例示すると、次のようになる。この記載は、本明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１６】
さらに、この記載は、本明細書に記載されている発明が、全て請求されていることを意味するものではない。換言すれば、この記載は、本明細書に記載されている発明であって、この出願では請求されていない発明の存在、すなわち、将来、分割出願されたり、補正により出現したり、追加される発明の存在を否定するものではない。
【００１７】
本発明によれば、携帯型情報処理装置が提供される。この携帯型情報処理装置（例えば、図５の携帯電話機１０１）は、前記第１の筐体（例えば、図５の表示ユニット１１１）と前記第２の筐体（例えば、図５の操作ユニット１１２）は、ヒンジ機構（例えば、図５のヒンジ部１１３）を介して回動自在に結合され、前記ヒンジ機構は、前記第１の筐体側に固定された第１の部材（例えば、図１０のリング２０１）と、前記第２の筐体側に固定され、前記第１の部材と関係して、前記第１の筐体に与えられた第１の方向の運動（例えば、図１７の力Ｆ１）を、前記第１の方向とほぼ垂直な第２の方向（例えば、図２０の力Ｆ４）の運動に変換する第２の部材（例えば、図１０のリング２０２）とから構成される。
【００１８】
この携帯型情報処理装置（例えば、図５の携帯電話機１０１）においては、前記第１の部材と前記第２の部材は、接触部材（例えば、図１０のガイド棒２２１）と、前記接触部材と接触し、前記第１の筐体の前記第１の方向の運動を前記第２の方向の運動に変換するカム面（例えば、図１０のカム面２３１Ａ）を有するカム（例えば、図１０のカム２３１）とで構成されるようにすることができる。
【００１９】
以下、図を参照して、本発明の実施の形態について説明する。
【００２０】
図５乃至図８は、本発明を適用した携帯電話機１０１の外観の構成例を示している。
【００２１】
図５は、携帯電話機１０１を閉じた状態を表わしている。１つの筐体で構成される表示ユニット１１１と、別の筐体で構成される操作ユニット１１２が、それぞれの端部の近傍に配置されたヒンジ部１１３により結合されている。表示ユニット１１１には、携帯電話機１０１の状態や各種データ等を表示するためのディスプレイ１２１が設けられている。ディスプレイ１２１が設けられている面は、携帯電話機１０１を閉じた状態において外側に露出しており、ユーザは、携帯電話機１０１を閉じた状態で、ディスプレイ１２１を見ることができる。
【００２２】
携帯電話機１０１を閉じた状態において、表示ユニット１１１と操作ユニット１１２の間には、若干の隙間が設けられている。これは、図２１を参照して後述するように、表示ユニット１１１が操作ユニット１１２に対して垂直方向に傾斜する運動を許容するためである。また、表示ユニット１１１と操作ユニット１１２が対向する面であって、ヒンジ部１１３側とその逆側の端部の近傍には、テーパ面１２２，１２３，１２４，１２５が形成されている。ヒンジ部１１３の近傍のテーパ面１２３，１２５は、表示ユニット１１１と操作ユニット１１２の間の隙間とあわせて、表示ユニット１１１の操作ユニット１１２に対して垂直方向への傾斜を許容する機能を有している。ヒンジ部１１３と反対側の端部近傍のテーパ面１２２，１２４は、その間にユーザの指を挿入することで表示ユニット１１１を操作ユニット１１２に対して垂直方向に持ち上げやすくする機能を有している。
【００２３】
ユーザは、携帯電話機１０１を操作するとき、図６に示されるように、携帯電話機１０１を開いた状態にする。操作ユニット１１２の操作面１１２Ａに配置されている操作キー１３１は、携帯電話機１０１を開いた状態において、外部に露出するので、ユーザは、操作キー１３１を操作することができる。
【００２４】
携帯電話機１０１は、図５に示される閉じた状態から、図７および図８の矢印で示されるように、表示ユニット１１１を、ヒンジ部１１３を軸にして、操作面１１２Ａとほぼ平行に、時計回りあるいは反時計回りの方向に回動させることにより、図６に示されるような開いた状態になる。また、図１０乃至図２４を参照して後述するように、図５に示される閉じた状態で、表示ユニット１１１にディスプレイ１２１（操作面１１２Ａ）に対してほぼ垂直な方向の力を加える（折りたたみ式の携帯電話機のように表示ユニット１１１を持ち上げる）操作によっても、表示ユニット１１１を、操作ユニット１１２の操作面１１２Ａとほぼ平行な方向に回動させることができる。
【００２５】
図９は、携帯電話機１０１の機能的構成例を示すブロック図である。
【００２６】
携帯電話機１０１においては、制御部１６１、通信部１６２、表示部１６３、操作部１６４、記憶部１６５、および開閉検出スイッチ１６６が、制御バス１５１を介して互いに接続され、通信部１６２、表示部１６３、記憶部１６５、スピーカ１６７、およびマイクロホン１６８が、データバス１５２を介して相互に接続されている。
【００２７】
制御部１６１は、CPU（Central Processing Unit）、ROM（Read Only Memory）、RAM（Random Access Memory）等から構成され、携帯電話機１０１の各部の動作を制御する。通信部１６２は、最寄りの基地局との間で無線による通信を行う。
【００２８】
表示部１６３は、ディスプレイ１２１や図示せぬLED（Light Emitting Diode）等から構成され、携帯電話機１０１の状態や各種データ等を表示する。操作部１６４は、操作キー１３１や、その他のキーやスイッチ等により構成され、ユーザからの操作を受け付ける。
【００２９】
記憶部１６５は、半導体メモリ等で構成され、携帯電話機１０１が使用する各種データを記憶する。
【００３０】
開閉検出スイッチ１６６は、携帯電話機１０１が、図５に示される閉じた状態か、図６に示される開いた状態かを検出し、制御部１６１は、その検出結果に基づいて、携帯電話機１０１の制御を切り替える。
【００３１】
マイクロホン１６８は、ユーザの音声信号を取り込み、スピーカ１６７は、ユーザに対して音声信号を出力する。
【００３２】
次に、図１０乃至図１７を参照して、ヒンジ部１１３の詳細について説明する。
【００３３】
図１０は、ヒンジ部１１３の外観を斜めから見た図であり、図１１は、ヒンジ部１１３を真上から見た図である
【００３４】
ヒンジ部１１３は、リング２０１、リング２０２、ボールベアリング２０３、および接続部材２０４−１，２０４−２により構成される。
【００３５】
リング２０１は、接続部材２０４−１，２０４−２を介して、ボールベアリング２０３の内周リング２４１に接続される。接続部材２０４−１は、その上の端部が、リベット２０５−１によりリング２０１の内側に取り付けられ、その下の端部が、ネジ２０７−１、２０７−２により内周リング２４１に取り付けられる。同様に、接続部材２０４−２は、その上の端部が、リベット２０５−２によりリング２０１の内側に取り付けられ、その下の端部が、ネジ２０７−３、２０７−４により内周リング２４１に取り付けられる。接続部材２０４−１，２０４−２は、リング２０１および内周リング２４１の、それぞれほぼ１８０度の対向する位置に取り付けられる。
【００３６】
図１３を参照して後述するように、リング２０１が、リベット２０５−１，２０５−２を中心に上下方向に回動するとき、接続部材２０４−１，２０４−２に当接して回動が困難になるのを防ぐために、リング２０１の接続部材２０４−１，２０４−２が取り付けられる部分２０１Ａは、円弧ではなく、平面状になっている。
【００３７】
リング２０２は、カム２３１が設けられている面に対してほぼ直角に折り曲げられている面にネジ２０６−１乃至２０６−４を通して、ボールベアリング２０３の外周リング２４２に取り付けられる。
【００３８】
リング２０１には外側に突出するようにガイド棒２２１が取り付けられている。ガイド棒２２１は、表示ユニット１１１と操作ユニット１１２がほぼ平行な状態で閉じられているとき、カム２３１のカム面２３１Ａの頂部と同じか、それより若干高い位置に（ガイド棒２２１がカム面２３１Ａから若干離れるように）、図１０において、頂部から若干左又は右にずれて取り付けられている。
【００３９】
リング２０２の円周上の一部には、左右対称に滑らかに傾斜するカム面２３１Ａを有するカム２３１が設けられている。後述するように、表示ユニット１１１を操作ユニット１１２に対してほぼ垂直な方向に持ち上げたとき、リング２０１のガイド棒２２１が、カム面２３１Ａに沿って滑るように案内され、操作面１１２Ａとほぼ平行な方向に回動される。
【００４０】
ボールベアリング２０３は、内周リング２４１と外周リング２４２、並びに内周リング２４１と外周リング２４２の間に配置されたボール２６１（後述する図１２）により構成され、内周リング２４１は外周リング２４２に対して摺動自在となっている。
【００４１】
リング２０１には、ネジ穴２２２−１乃至２２２−６が設けられ、図１２を参照して後述するように、表示ユニット１１１に設けられている基板２５１（図１２）にネジ止めされ、表示ユニット１１１に固定される。ボールベアリング２０３の外周リング２４２には、ネジ穴２４３−１乃至２４３−４が設けられ、図１２を参照して後述するように、操作ユニット１１２に設けられている基板２５２（図１２）にネジ止めされ、操作ユニット１１２に固定される。
【００４２】
図１１に示されるように、リング２０１、リング２０２、およびボールベアリング２０３は、それぞれの中心が一致するように（同心円状に）設置される。図１３を参照して後述するように、リング２０１は、リベット２０５−１，２０５−２を中心に、上下方向にも回動するため、リング２０１とリング２０２の半径は、リング２０１の外周とリング２０２の内周の間に、リング２０１が上下方向に回動できるためのスペースを確保できる長さとなっている。
【００４３】
図１２は、表示ユニット１１１に設けられている基板２５１および操作ユニット１１２に設けられている基板２５２に取り付けられた状態におけるヒンジ部１１３の一部（図１１の右側の部分）の断面の構成を示す図である。
【００４４】
リング２０１は、ネジ２５３をリング２０１のネジ穴２２２−５（図１１）に通し、図示されていない他のネジをネジ穴２２２−１乃至２２２−４および２２２−６（図１１）に通して、表示ユニット１１１の基板２５１に取り付けられることにより、表示ユニット１１１に固定される。ボールベアリング２０３は、ネジ２５４を外周リング２４２のネジ穴２４３−４に、図示されていない他のネジを、外周リング２４２のネジ穴２４３−１乃至２４３−３に通して、操作ユニット１１２の基板２５２に取り付けられることにより、操作ユニット１１２に固定される。内周リング２４１は、どちらのユニットにも固定されておらず、外周リング２４２が取り付けられている基板２５２に対して相対的に移動自在になっている。
【００４５】
従って、表示ユニット１１１を操作面１１２Ａ（基板２５２）とほぼ平行に回動させると、表示ユニット１１１に固定されているリング２０１、およびリング２０１に接続部材２０４−１，２０４−２を介して接続されている内周リング２４１が、外周リング２４２に沿って摺動する。内周リング２４１と外周リング２４２の間に設けられているボール２６１により、内周リング２４１の回動により発生する内周リング２４１と外周リング２４２の間の摩擦抵抗が軽減され、内周リング２４１は、外周リング２４２に沿って滑らかに摺動する。
【００４６】
図１３を参照して後述するように、リング２０１が、リベット２０５−１，２０５−２を中心に上下方向に回動するため、リング２０１と接続部材２０４−２（２０４−１）の間には、リング２０１が滑らかに回動できるように、若干の隙間が設けられる。また、リング２０１が上下方向に回動したときに、接続部材２０４−２（２０４−１）が当接して回動しなくなるのを防ぐために、基板２５１には、リング２０１の外形より若干大きな穴が形成されている。この基板２５１の穴には、配線材等が通される。
【００４７】
図１３と図１４は、ヒンジ部１１３のうち、リング２０１と接続部材２０４−１，２０４−２の外観を斜めから見た図である。図１３は、ガイド棒２２１の右側から見た図であり、図１４は、ガイド棒２２１が取り付けられている方向から見た図である。
【００４８】
リング２０１の外側の最下部には、ガイド棒２２１が取り付けられている。ガイド棒２２１が取り付けられている位置からほぼ９０度離れた平面状になっている部分２０１Ａであって、リング２０１の高さ方向でほぼ中央の位置に、接続部材２０４−１，２０４−２が取り付けられる。
【００４９】
リング２０１は、リベット２０５−１，２０５−２を中心に、図中矢印で示すように、垂直方向に回動自在とされ、それに伴い、ガイド棒２２１も上下方向に回動する。
【００５０】
図１３に示されるように、接続部材２０４−１（２０４−２）の下端部は、ガイド棒２２１と平行な方向に長い長方形状とされ、図１４に示されるように、内周リング２４１に取り付けられる面に合わせて、ほぼ直角に折り曲げられている。接続部材２０４−１（２０４−２）は、ネジ２０７−１，２０７−２（ネジ２０７−３，２０７−４）（図１１）を、下端部の両端の近傍に開けられているネジ穴２７１−１，２７１−２（ネジ穴２７１−３，２７１−４）に通して内周リング２４１に取り付けられる。
【００５１】
図１５は、リング２０２とボールベアリング２０３を斜めから見た図であり、図１６は、リング２０２とボールベアリング２０３を上から見た図である。
【００５２】
リング２０２には、上述したように、左右対称の滑らかな傾斜がつけられたカム面２３１Ａを有するカム２３１が設けられている。
【００５３】
上述したように、ボールベアリング２０３の内周リング２４１と外周リング２４２の間には複数のボール２６１（図１２）が設けられ、内周リング２４１は外周リング２４２に対して摺動自在となっている。
【００５４】
内周リング２４１には、ネジ穴２８１−１乃至２８１−４が設けられており、このネジ穴２８１−１乃至２８１−４に合わせて、ネジ穴２７１−１乃至２７１−４が位置するように配置され、ネジ２０７−１乃至２０７−４（図１１）により、接続部材２０４−１，２０４−２が取り付けられる。
【００５５】
次に、図１７乃至図２４を参照して、表示ユニット１１１に操作面１１２Ａに対してほぼ垂直な方向の力を加えた（折りたたみ式携帯電話機のように表示ユニット１１１を持ち上げた）ときの携帯電話機１０１およびヒンジ部１１３の動きを説明する。
【００５６】
図１７乃至図２０は、携帯電話機１０１を閉じた状態のときの携帯電話機１０１およびヒンジ部１１３を示す図である。図１７は、携帯電話機１０１を横から見た図であり、図１８は、表示ユニット１１１側から（上から）見た図である。図１９は、図１７の左方向から携帯電話機１０１を見た図であり、図２０は、図１７の左上方向からヒンジ部１１３を見た図である。
【００５７】
図１９と図２０に示されるように、携帯電話機１０１を閉じた状態において、リング２０１のガイド棒２２１は、リング２０２のカム面２３１Ａの頂部付近であって、頂部と同じか、それより若干高い位置に来るように取り付けられている。
【００５８】
図１７に示されるように、表示ユニット１１１のヒンジ部１１３と逆側の端部（図中、右側の端部）を、力Ｆ１を加え、操作ユニット１１２に対してほぼ垂直な方向に運動させた場合、図２０に示されるように、リング２０１のガイド棒２２１とほぼ１８０度の対向する位置に、リング２０１をほぼ垂直な上方向に持ち上げる力Ｆ２が加えられる。力Ｆ２の働きにより、リング２０１は、リベット２０５−１，２０５−２を中心に、図２０において下方向に回動し、ガイド棒２２１が、力Ｆ２とほぼ同じ強さの力Ｆ３で、リング２０２のカム２３１の頂部付近をほぼ垂直な方向（力Ｆ２と逆方向）に押し下げる。
【００５９】
力Ｆ３は、傾斜したカム面２３１Ａに対してほぼ平行な方向に働く力Ｆ４と、ほぼ垂直な方向に働く力Ｆ５に分解される。力Ｆ４の働きにより、カム面２３１Ａを有するリング２０２およびリング２０２が取り付けられている外周リング２４２が、図２０において反時計方向に回動しようとするが、外周リング２４２は操作ユニット１１２に固定されていて動かない。このため、力Ｆ４の反作用により、ガイド棒２２１、従ってリング２０１が時計方向に回動する。
【００６０】
すなわち、表示ユニット１１１に与えられた、操作面１１２Ａに対してほぼ垂直な方向の運動が、操作面１１２Ａにほぼ平行な方向の運動に変換され、表示ユニット１１１は操作面１１２Ａとほぼ平行な方向に回動する。その結果、ユーザは、この携帯電話機１０１は、平行回動する機種であることを知ることができ、それ以上垂直方向に回動しようとする操作をしなくなる。その結果、損傷が防止される。
【００６１】
表示ユニット１１１を持ち上げたときに、ガイド棒２２１Ａがカム面２３１Ａの頂部に当接すると、死点となって、いずれの方向にもリング２０１が回動しないおそれがある。これを防止するには、携帯電話機１０１を閉じた状態において、カム面２３１Ａの頂部がガイド棒２２１から左または右方向に若干ずれた位置となるように、リング２０２がボールベアリング２０３に取り付けられることが望ましい。この場合、ガイド棒２２１がカム面２３１Ａの傾斜面を滑る方向が固定されるため、表示ユニット１１１を持ち上げたとき、表示ユニット１１１が回動する方向も、右または左のいずれかの方向に固定される。
【００６２】
図２１乃至図２４は、ガイド棒２２１がカム面２３１Ａに案内されて、表示ユニット１１１が操作面１１２Ａとほぼ平行な方向に回動した時点の携帯電話機１０１とヒンジ部１１３の状態を示す図である。図２１は、携帯電話機１０１を横から見た図であり、図２２は、表示ユニット１１１側から（上から）見た図である。図２３は、図２１の左方向から携帯電話機１０１を見た図であり、図２４は、図２１の左上方向からヒンジ部１１３を見た図である。
【００６３】
図２３と図２４に示されるように、ガイド棒２２１がカム面２３１Ａに案内されることにより、リング２０１が操作面１１２Ａとほぼ平行に回動し、表示ユニット１１１は、図１８に示されるように、操作ユニット１１２と重なった状態から、図２２に示されるように、操作ユニット１１２に対して、ヒンジ部１１３を中心として、操作面１１２Ａとほぼ平行な方向に回動した状態となる。なお、この表示ユニット１１１が回動する角度は、リング２０２におけるカム面２３１Ａの傾斜の範囲を変更することにより、調整することができる。
【００６４】
また、図２４に示されるように、ガイド棒２２１がカム面２３１Ａにより案内されるのに伴い、リング２０１が、リベット２０５−１，２０５−２を中心に、リング２０２に対して垂直方向に傾斜した状態となるため、図２１に示されるように、表示ユニット１１１は、ヒンジ部１１３を中心に、操作ユニット１１２に対して垂直方向にも傾斜した状態となる。上述したように、表示ユニット１１１が操作ユニット１１２に対して垂直方向に若干傾斜できるように、表示ユニット１１１と操作ユニット１１２の間に若干の隙間が設けられるとともに、表示ユニット１１１のテーパ面１２３と操作ユニット１１２のテーパ面１２５が設けられている。
【００６５】
ガイド棒２２１がカム面２３１Ａに案内された後、ユーザは、表示ユニット１１１に操作面１１２Ａに対してほぼ平行な方向の力を加えることにより、表示ユニット１１１をヒンジ部１１３を中心に操作ユニット１１２の操作面１１２Ａとほぼ平行な方向にさらに回動させて完全に開くことができる。
【００６６】
もちろん、表示ユニット１１１を垂直方向に持ち上げないで、最初から、表示ユニット１１１に操作面１１２Ａに対してほぼ平行な方向の力を加えて、表示ユニット１１１を回動させることも可能である。その場合、リング２０１は、ガイド棒２２１がリング２０２のカム面２３１Ａに当接せずに、リング２０２から離れたまま、リング２０２に対してほぼ平行な方向に回動する。
【００６７】
なお、携帯電話機１０１を図５に示されるように閉じた状態におけるリング２０２の操作ユニット１１２への固定位置を、カム面２３１Ａの頂部がリング２０１のガイド棒２２１に対して時計回りの方向に若干ずれた位置と反時計回りの方向に若干ずれた位置とを切り替えられるようにすることにより、表示ユニット１１１を垂直方向に持ち上げたときの表示ユニット１１１の回動する方向を、きまった方向に切り替えるようにすることも可能である。
【００６８】
また、以上において携帯電話機を例に挙げて説明したが、これに限らず本発明をPDA（Personal Disgital Assistant）等の各種の携帯型情報処理装置に適用することも可能である。
【図面の簡単な説明】
【００６９】
【図１】従来の携帯電話機の外観構成例を示す斜視図である。
【図２】従来の携帯電話機の外観構成例を示す斜視図である。
【図３】従来の携帯電話機の外観構成例を示す斜視図である。
【図４】従来の携帯電話機の外観構成例を示す斜視図である。
【図５】本発明を適用した携帯電話機の外観構成例を示す斜視図である。
【図６】本発明を適用した携帯電話機の外観構成例を示す斜視図である。
【図７】本発明を適用した携帯電話機の外観構成例を示す斜視図である。
【図８】本発明を適用した携帯電話機の外観構成例を示す斜視図である。
【図９】本発明を適用した携帯電話機の機能構成例を示すブロック図である。
【図１０】本発明を適用した携帯電話機のヒンジ部の構成例を示す斜視図である。
【図１１】本発明を適用した携帯電話機のヒンジ部の構成例を示す平面図である。
【図１２】本発明を適用した携帯電話機にヒンジ部を取り付けた状態を示す断面図である。
【図１３】本発明を適用した携帯電話機のヒンジ部の一部の構成を示す斜視図である。
【図１４】本発明を適用した携帯電話機のヒンジ部の一部の構成を示す斜視図である。
【図１５】本発明を適用した携帯電話機のヒンジ部の一部の構成を示す斜視図である。
【図１６】本発明を適用した携帯電話機のヒンジ部を分解した一部の平面図である。
【図１７】本発明を適用した携帯電話機の構成を示す側面図である。
【図１８】本発明を適用した携帯電話機の構成を示す平面図である。
【図１９】本発明を適用した携帯電話機のヒンジ部の状態を示す図である。
【図２０】本発明を適用した携帯電話機のヒンジ部の作用を説明する図である。
【図２１】本発明を適用した携帯電話機の構成を示す側面図である。
【図２２】本発明を適用した携帯電話機の構成を示す平面図である。
【図２３】本発明を適用した携帯電話機のヒンジ部の状態を示す図である。
【図２４】本発明を適用した携帯電話機のヒンジ部の動きを示す図である。
【符号の説明】
【００７０】
１  携帯電話機，  １１  表示ユニット，  １２  操作ユニット，  １３  ヒンジ部，  ２１  ディスプレイ，  ３１  操作キー，  １０１  携帯電話機，  １１１  表示ユニット，  １１２  操作ユニット，  １１２Ａ  操作面，  １１３  ヒンジ部，  １２１  ディスプレイ，  １３１  操作キー，  ２０１  リング，  ２０２  リング，  ２０３  ボールベアリング，  ２０４  接続部材，  ２０５  リベット，  ２２１  ガイド棒，  ２３１  カム，  ２３１Ａ  カム面，  ２４１  内周リング，  ２４２  外周リング
【図１】
2005149123.tif 000003
【図２】
2005149123.tif 000004
【図３】
2005149123.tif 000005
【図４】
2005149123.tif 000006
【図５】
2005149123.tif 000007
【図６】
2005149123.tif 000008
【図７】
2005149123.tif 000009
【図８】
2005149123.tif 000010
【図９】
2005149123.tif 000011
【図１０】
2005149123.tif 000012
【図１１】
2005149123.tif 000013
【図１２】
2005149123.tif 000014
【図１３】
2005149123.tif 000015
【図１４】
2005149123.tif 000016
【図１５】
2005149123.tif 000017
【図１６】
2005149123.tif 000018
【図１７】
2005149123.tif 000019
【図１８】
2005149123.tif 000020
【図１９】
2005149123.tif 000021
【図２０】
2005149123.tif 000022
【図２１】
2005149123.tif 000023
【図２２】
2005149123.tif 000024
【図２３】
2005149123.tif 000025
【図２４】
2005149123.tif 000026